(57)【特許請求の範囲】
【請求項１】
筐体に対しロック部材を回転させて着脱可能な蓋を備えた携帯電話端末であって、前記蓋は、前記ロック部材が貫通する孔と、その孔の周囲内面に位置し、前記ロック部材に備えられるロック爪が、前記ロック部材の回転により係脱自在となるロック片とを備えることを特徴とする携帯電話端末。
【請求項２】
円形の前記ロック部材と、円形の前記孔とを備えることを特徴とする請求項１に記載の携帯電話端末。
【請求項３】
前記ロック部材が、複数の前記ロック爪と、複数の前記ロック片とを備えることを特徴とする請求項１または２に記載の携帯電話端末。
【請求項４】
前記ロック部材が、２つの前記爪及び２つの前記ロック片を有する請求項１または２に記載の携帯電話端末。
【請求項５】
前記２つの爪が、前記ロック部材の上端部における所定の軸線に関して互いに非対称な形状である請求項４に記載の携帯電話端末。
【発明の詳細な説明】
【技術分野】
【０００１】
本発明は、電池蓋または二分割ケースによる筐体を備える携帯電話端末に関する。
【背景技術】
【０００２】
携帯型電子機器において、電池蓋の端部にほぼ半円形の切欠部を設け、その切欠部において、円形のロックノブにより電池蓋を筐体に対し着脱するようにしたものが特許文献１で知られている。
【０００３】
また、携帯電話において、その筐体は一般にほぼ真ん中で二分割した上下のケースにより構成されていた（例えば特許文献２参照）。
【特許文献１】特開２００１−５３８４７号公報
【特許文献２】特開２００１−３２１２１５号公報
【発明の開示】
【発明が解決しようとする課題】
【０００４】
しかし、特許文献１のように、端部にほぼ半円形の切欠部を設けた電池蓋では、筐体に対する固定を確実にするため、ロックノブに設けられ、電池蓋端部のほぼ半円形の切欠部の周囲内側に設けられるロック片に係合するロック爪を大型化する必要があった。
【０００５】
また、特許文献２のように、ほぼ真ん中で二分割した上下のケースにより構成された筐体では、落下等の衝撃を上下のケースに分散させることが難しく、内部に金属ケースを設ける等、補強対策が必要となっていた。
【０００６】
本発明の課題は、電池蓋の固定を確実にすることである。
【課題を解決するための手段】
【０００８】
以上の課題を解決するため、請求項１に記載の発明は、筐体に対しロック部材を回転させて着脱可能な蓋を備えた携帯電話端末であって、前記蓋は、前記ロック部材が貫通する孔と、その孔の周囲内面に位置し、前記ロック部材に備えられるロック爪が、前記ロック部材の回転により係脱自在となるロック片とを備えることを特徴とする。
【０００９】
請求項２に記載の発明は、請求項１に記載の携帯電話端末であって、円形の前記ロック部材と、円形の前記孔とを備えることを特徴とする。
【００１０】
請求項３に記載の発明は、請求項１または２に記載の携帯電話端末であって、複数の前記ロック爪と、複数の前記ロック片とを備えることを特徴とする。
【発明の効果】
【００１４】
本発明によれば、筐体に対し蓋を孔の周囲で確実に固定することができる。
【発明を実施するための最良の形態】
【００１６】
以下、図を参照して本発明を実施するための最良の形態を詳細に説明する。
（実施形態）
図１は本発明を適用した電子機器の一実施形態の構成として携帯電話端末を開いた使用状態を示したもので、１は第１の筐体、２は第２の筐体、３はヒンジ部、４は表示部、５は操作部である。図示のように、第１の筐体１と第２の筐体２はヒンジ部３を介して折り畳み可能（開閉可能）に結合され、図示例では、第１の筐体１に表示部４が設けられて、第２の筐体２に操作部５が設けられている。
【００１７】
図２は第２の筐体２の筐体構造を分解して示したもので、６は箱状ケース、７は蓋状ケース、８は電池蓋、９はロック部材である。図示のように、第２の筐体２は、一面が開口部６１とされた箱状ケース６と、この箱状ケース６の開口部６１に取り付けられる蓋状ケース７とから構成されている。蓋状ケース７には、電池蓋８が円形のロック部材９を介して着脱可能とされている。
【００１８】
箱状ケース６は、ガラス繊維入りＰＡ（Polyamide）による合成樹脂製で、一面が全面的に開口部６１とされて、他面側の底面に電磁シールド及び補強のためステンレスによる金属板６２（図３から図５参照）がインサート成形により一体化されるとともに、底部の一端側外面に一対のヒンジボス６３が一体に形成されている。そして、開口部６１の全周にパッキン溝６４が形成されている。また、図示はしないが箱状ケース６内には基板、その基板に設けられた電子部品などが備えられている。
【００１９】
以上の箱状ケース６の底部外面に前記操作部５が設けられる。なお、図２において、６ａ・６ｂ・６ｃ・６ｄ・６ｅは箱状ケース６の周壁部外側に装着された各種ガーニッシュ、３１はヒンジ軸である。
このように、箱状ケース６の側面にも、例えばガーニッシュ６ｂ・６ｃ・６ｄで示されるようにキー、コネクタ、ジャックなどの操作部が備えられている。
【００２０】
蓋状ケース７も、ガラス繊維入りＰＡ（Polyamide）による合成樹脂製で、箱状ケース６の開口部６１に被せて取り付けられる形状（図３から図５参照）とされている。この蓋状ケース７の内面の全周にパッキン押えリブ７４が形成されている。このパッキン押えリブ７４は、箱状ケース６のパッキン溝６４に対応する。
そして、蓋状ケース７の下側側方に設けられたリブ７ｒと、箱状ケース６の底面側に設けられた係合部６ｒとが係合するようになっている。
【００２１】
さらに、蓋状ケース７のほぼ一半部には、電池着脱用開口部７１及びその全周囲外側面のパッキン溝７２が形成されている。
【００２２】
また、電池蓋８の内面には、蓋状ケース７の電池着脱用開口部７１の全周囲のパッキン溝７２に嵌め込むパッキン８２（図７及び図８参照）が一体化して設けられている。
【００２３】
以上の筐体構造では、箱状ケース６の開口部６１全周のパッキン溝６４に予め図示しないパッキンを嵌め込んでおいて、その箱状ケース６の上に蓋状ケース７を被せる。このとき、パッキンは、蓋状ケース７の内面全周のパッキン押えリブ７４により嵌め込まれる。
【００２４】
そして、蓋状ケース７の電池着脱用開口部７１と反対側に設けた一対の取付孔７５と、蓋状ケース７のほぼ中央部で電池着脱用開口部７１内に設けた一対の取付孔７６から図示しないネジを挿入して、箱状ケース６内の対応位置に設けた一対の取付ボス６５及び一対の取付ボス６６にネジをそれぞれねじ込む。さらに、箱状ケース６のヒンジボス６３と反対側に設けた一対の取付孔６７から図示しないネジを挿入して、蓋状ケース７内の対応位置に設けた一対の取付ボス７７にネジをそれぞれねじ込む。
【００２５】
このネジ止めにより、パッキン溝６４内にパッキンが加圧密着状態となって箱状ケース６及び蓋状ケース７が組み付けられて第２の筐体２が合体される。
【００２６】
このように、一面が開口部６１とされた箱状ケース６と、この箱状ケース６の開口部６１に取り付けられる蓋状ケース７とをネジ止めしたので、箱状ケース６により剛性を上げて衝撃に強くすることができる。
従って、防水性能を確保しながら、箱状ケース６に蓋状ケース７を取り付ける簡略化した筐体構造として耐衝撃性を確保しつつ薄型化も達成することができる。
また、蓋状ケース７の下側側方に設けられたリブ７ｒと、箱状ケース６の底面側に設けられた係合部６ｒとが係合することで、より強度を増す構造としている。
【００２７】
以上、実施形態の第２の筐体２の筐体構造によれば、上面にヒンジボス６３があり、背面に開口部６１がある箱状ケース６を設け、その背面の開口部６１に蓋状ケース７を取り付けることにより、ヒンジ部３が箱状ケース６に設けられるため、強度的に有利になる、すなわち、折り畳みを開放している場合に表示側の第１の筐体１に衝撃が加わったとしても、ヒンジ部３から伝わる力は面積の大きい箱状ケース６に分散されるため、損傷する可能性を低くできる。また、基板、コネクタ送出口を箱状ケース６にまとめて設けることができるので、ケースが歪んだ場合にも有利となる。すなわち、基板とコネクタ送出口とを別々に設けた場合は断線、基板損傷の恐れがあるが、これを防止することが出来る。
【００２８】
また、箱状ケース６の側面にキー、コネクタ、ジャックなどの操作部が備えられることにより、その操作部の固定が強固、且つ確実にでき、しかも、筐体の剛性を損なうことが軽減できる。
【００２９】
また、箱状ケース６の底面に金属板６２をインサート成形したので、箱状ケース６の剛性を金属板６２によりさらに上げてより衝撃に強くすることができる。
さらに、箱状ケース６にヒンジボス６３を設けたので、第２の筐体２の全体としての剛性も有利に確保できる。
したがって、筐体２に衝撃が加わったとしても、基板、電子部品などが保護されるものとなる。
【００３０】
次に、図６は電池蓋８を示したもので、図７はその電池蓋８と蓋状ケース７との関係を示し、図８（ａ）は蓋状ケース７を正面から示して、図８（ｂ）は電池蓋８を背面から示している。
【００３１】
すなわち、図示のように、電池蓋８には、その上端部側の中央に円形孔８１が形成されて、下端部に左右一対の差し込み片８３が突出して形成されている。
さらに、電池蓋８の円形孔８１の周囲内面には、左右一対のロック片８４が形成されている。このロック片８４は、電池蓋８の円形孔８１の周囲内面に沿って間隔を開けてほぼ平行に形成されている。
【００３２】
また、蓋状ケース７の下端部側に左右一対の差し込み溝７８が形成されている。この差し込み溝７８は、電池蓋８の差し込み片８３に対応するもので、電池着脱用開口部７１周囲のパッキン溝７２の下側に位置している。また、電池着脱用開口部７１内には、図１に仮想線で示すように、箱状の二次電池Ｂが収納される。
さらに、蓋状ケース７の上下ほぼ中央部には、左右一対の凹部７９が形成されている。この凹部７９は、電池着脱用開口部７１周囲のパッキン溝７２の上側に位置している。
【００３３】
ロック部材９は、その下側外周面にほぼ直径方向に対向して外側に突出する一対のロック爪９１を一体に備えている。このロック部材９は、電池蓋８の円形孔８１に貫通する円形形状のもので、ロック爪９１は、電池蓋８の下面とロック片８４との間に形成される溝に係合可能となっている。
以上のロック部材９は、蓋状ケース７の上下ほぼ中央部で左右の凹部７９間に形成された円形孔に挿入して、下端面に抜け止め用のストッパ片９２（図９（ｂ）参照）がネジ止めされている。
【００３４】
そして、図９（ａ）は電池蓋８のロック部分の非ロック状態を示したもので、図９（ｂ）はその矢印Ｂ−Ｂ線に沿った縦断面を示している。また、図１０（ａ）は電池蓋８のロック部分のロック状態を示したもので、図１０（ｂ）はその矢印Ｂ−Ｂ線に沿った縦断面を示している。
【００３５】
以上の電池蓋構造では、電池蓋８の下端部に突出する左右の差し込み片８３を、蓋状ケース７の下端部側の左右の差し込み溝７８に差し込んでから、蓋状ケース７の上下ほぼ中央部で左右の凹部７９間に位置するロック部材９を、電池蓋８の上端部側中央の円形孔８１に貫通させる。
【００３６】
このとき、電池蓋８の上端部は縁部７３の下側に沿って位置している。また、図９に示すように、左右の凹部７９からロック爪９１を円周方向において手前側に退避させておく。これにより、電池蓋８の円形孔８１周囲内面の左右のロック片８４が凹部７９にそれぞれ収納される。
【００３７】
そして、ロック部材９を指先で図示右回りに回転させて、図１０に示すように、左右の凹部７９内のロック片８４と電池蓋８下面との間の溝にロック爪９１をそれぞれ係合させる。これにより、蓋状ケース７に対し、その電池着脱用開口部７１を覆う電池蓋８がロック部材９を介してロック状態に保持される。そのロック状態を図１１に示した。
【００３８】
なお、以上とは逆に、ロック部材９を指先で図示左回りに回転させると、左右の凹部７９内のロック片８４と電池蓋８下面との間の溝からロック爪９１がそれぞれ外れる。これにより、ロック状態が解除されて、電池蓋８を取り外すことができる。
【００３９】
以上、実施形態の電池蓋８の構造によれば、第２の筐体２に対し円形のロック部材９を介して着脱可能な電池蓋８であって、ロック部材９が貫通する円形孔８１を有しているので、第２の筐体２の蓋状ケース７に対し電池蓋８を円形孔８１の周囲で確実に固定することができる。
【００４０】
すなわち、電池蓋８の円形孔８１の周囲内面に、ロック部材９のほぼ直径方向に対向する一対のロック爪９１が各々係合する一対のロック片８４を備えているので、電池蓋８を円形孔８１の周囲でほぼ直径方向においてロック片８４に係合するロック爪９１により蓋状ケース７に対ししっかりと確実に固定することができる。言い換えれば、係合時はロック爪９１を円形孔８１周囲とロック片８４で平面的に挟んで、蓋状ケース７に対し電池蓋８を確実に固定することができる。
【００４１】
そして、円形のロック部材９が円形孔８１に位置するので、ロック部材９の回転が円形孔８１でスムーズに行える。
また、電池蓋８の円形孔８１の周囲内面に、その全周を利用して任意の位置にロック片８４を設定することができる。
また、上述のような筐体２の筐体構造を備えるため、電池蓋８、筐体２に衝撃が加わったとしても、電池、電池蓋８、ロック部材９などを保護することができるものとなっている。
【００４２】
（変形例）
なお、以上の実施形態の他、ロック爪及びロック片の数や形状や位置等も任意であり、その他、具体的な細部構造等についても適宜に変更可能であることは勿論である。
また、蓋としては、電池蓋以外にメモリーカードを収納する収納部などを覆う蓋であってもよい。
【図面の簡単な説明】
【００４３】
【図１】本発明を適用した電子機器の一実施形態の構成を示すもので、携帯電話端末を開いた使用状態を示した斜視図である。
【図２】図１の携帯電話の一方の筐体構造を示す分解斜視図である。
【図３】図２の両ケースから電池蓋とガーニッシュを外して反対側からケースを示した図である。
【図４】図２の両ケースを斜め上方から見た図である。
【図５】図４の両ケースを夫々に内部側より見た図である。
【図６】図２の電池蓋を背面側から見た図である。
【図７】図２の蓋状ケースと電池蓋を分解して背面側から見た図である。
【図８】図７の蓋状ケースを背面側から見た図（ａ）と電池蓋を内部側から見た図（ｂ）である。
【図９】図２の電池蓋のロック部分を拡大して示すもので、非ロック状態を示した図（ａ）とその矢印Ｂ−Ｂ線に沿った縦断面図（ｂ）である。
【図１０】図２の電池蓋のロック部分のロック状態を示した図（ａ）とその矢印Ｂ−Ｂ線に沿った縦断面図（ｂ）である。
【図１１】図７の蓋状ケースに電池蓋を装着してロック状態を示した縦断面図である。
【符号の説明】
【００４４】
２  筐体
６  箱状ケース
６１  開口部
６２  金属板
６３  ヒンジボス
６４  パッキン溝
６５  取付ボス
６６  取付ボス
６７  取付孔
７  蓋状ケース
７１  電池着脱用開口部
７２  パッキン溝
７３  縁部
７４  パッキン押えリブ
７５  取付孔
７６  取付孔
７７  取付ボス
７８  差し込み溝
７９  凹部
８  電池蓋
８１  円形孔
８２  パッキン
８３  差し込み片
８４  ロック片
９  ロック部材
９１  ロック爪
９２  ストッパ片
【図１】
0004513897.tif 000002
【図２】
0004513897.tif 000003
【図３】
0004513897.tif 000004
【図４】
0004513897.tif 000005
【図５】
0004513897.tif 000006
【図６】
0004513897.tif 000007
【図７】
0004513897.tif 000008
【図８】
0004513897.tif 000009
【図９】
0004513897.tif 000010
【図１０】
0004513897.tif 000011
【図１１】
0004513897.tif 000012